(57)【要約】【課題】ピボットベース面の高さ、マグネット保持面の高さの相対高さ精度を高く維持し、延いては、ＶＣＭコイルとＶＣＭマグネットのギャップ精度の維持を図ることができるディスクドライブ装置を提供することを課題とする。【解決手段】シャーシ１１と、シャーシ１１に固定されるスピンドルモータ２と、記録ディスクメディアに対してデータの記録再生を行うヘッド５と、ヘッド５を一端側に保持し、ピボット軸受７の周りに回動するスイングアーム６と、スイングアーム６の他端側に設けられるＶＣＭコイル８と、ＶＣＭコイル８と対面するように配置されるＶＣＭマグネット９と、を備えるドライブ装置Ｄであって、シャーシ１１には、ピボットベース面３１およびマグネット保持面３２が一体となった介在部材３が、シャーシ１１上のスピンドルモータ基準面１１ａを基準に、取り付けられている。【選択図】図２
2007179599.tif 000002
【特許請求の範囲】
【請求項１】
シャーシと、
前記シャーシに固定され、記録ディスクメディアを回転させるためのメディア駆動用モータと、
前記記録ディスクメディアに対してデータの記録及び／または再生を行うヘッドと、
前記ヘッドを一端側に保持するスイングアームと、
前記スイングアームの回動軸であるアクチュエータピボットと、
前記スイングアームの他端側に設けられるＶＣＭコイルと、
前記ＶＣＭコイルと対面するように配置されるＶＣＭマグネットと、
を備えるディスクドライブ装置であって、
前記シャーシには、前記アクチュエータピボットを保持するピボットベース面および前記ＶＣＭマグネットを保持するマグネット保持面が一体となった介在部材が、前記シャーシ上の前記メディア駆動用モータの基準面を基準に、取り付けられていることを特徴とするディスクドライブ装置。
【請求項２】
請求項１に記載のディスクドライブ装置の製造方法であって、
前記シャーシ上のメディア駆動用モータの基準面を基準に、前記介在部材を前記ピボットベース面が所定の高さになるように前記シャーシ上に位置決めした後、前記介在部材を前記シャーシに固定することを特徴とするディスクドライブ装置の製造方法。
【発明の詳細な説明】
【技術分野】
【０００１】
本発明は、記録ディスクメディアが装填され、記録ディスクメディアに対してデータの記録及び／または再生を行うディスクドライブ装置に関するものである。
【背景技術】
【０００２】
従来、記録ディスクメディアに対してデータの記録及び／または再生を行う装置として、ディスクドライブ装置が知られている（例えば、特許文献１参照）。図５は、従来のディスクドライブ装置を示す図であり、（ａ）は分解斜視図、（ｂ）は断面側面図である。図５（ａ）に示すように、ディスクドライブ装置１００は、一般に、上方が開口した略矩形箱状のシャーシ１０１と、このシャーシ１０１の開口部を塞ぐカバー１０２とを有している。そして、シャーシ１０１とカバー１０２の内部には、データを記録及び／または再生するヘッド１０３を先端部に保持したスイングアーム１０４と、このスイングアーム１０４をピボット軸受１０５周りに回動させて、ヘッド１０３を記録ディスク１１０上の所望の位置に移動させるアクチュエータとしてのボイスコイルモータ（VCM：Voice Coil Motor）１０６が搭載されている。記録ディスク１１０はメディア駆動用モータであるスピンドルモータ１１１により回転駆動され、スイングアーム１０４に保持されたヘッド１０３によりデータを記録及び／または再生される。
【０００３】
ボイスコイルモータ１０６は、スイングアーム１０４の後端部側に結合されるＶＣＭコイル１０６ａと、このＶＣＭコイル１０６ａに対面するように配置されたＶＣＭマグネット１０６ｂとから構成されている。図５（ｂ）に示すように、ＶＣＭコイル１０６ａとＶＣＭマグネット１０６ｂの間には好適なギャップがあり、このギャップ精度のバラツキは、アクチュエータとしての駆動特性に大きな影響を与える。
【０００４】
従来は、ＶＣＭコイル１０６ａとＶＣＭマグネット１０６ｂの相対的な高さを合わせるため、種々の構造を有していた。例えば、（１）図示省略するが、ＶＣＭマグネットが保持されるマグネット保持面が形成されるシャーシに、ピボット軸受を支持するピボットベース面を追加工して高さ位置を合わせる方法や、（２）図５（ｂ）に示すように、ピボット軸受１０５を支持するための、シャーシ１０１に形成されたピボットベース面１０１ａの位置に合わせて、別部材からなるマグネット保持面１０７をシャーシ１０１に取り付ける方法等がある。そして、これらの場合において、ピボット軸受１０５のベースとなるピボットベース面１０１ａの高さは、スピンドルモータ１１１（図５（ａ）参照）の高さに対して精度よく高さ出しされなければならない。
【特許文献１】特開２００４−４８９２４号公報
【発明の開示】
【発明が解決しようとする課題】
【０００５】
しかしながら、前記した従来技術の（１）では、シャーシをプレス加工した後にピボットベース面を追加工することで、シャーシ上におけるスピンドルモータの基準面とピボットベース面の相対的な高さを合わせているため、追加工されたピボットベース面とプレス加工のみで高さが決まっているマグネット保持面の相対的な高さの精度を維持することは困難であった。
また、前記した従来技術の（２）では、スピンドルモータ１１１に対して高さ出しされたピボットベース面１０１ａに対し、別部材であるマグネット保持面１０７をシャーシ１０１に取り付ける際、以下の不都合が生じる。すなわち、マグネット保持面１０７をシャーシ１０１にネジ締結で固定すると、その厚みが厚くなるという問題があった。また、マグネット保持面１０７をシャーシ１０１に固着すると、シャーシ１０１自身に歪みが生じて、ピボットベース面１０１ａとマグネット保持面１０７もしくはスピンドルモータ１１１の基準面との間に高さのズレが生じてしまうことがあった。
【０００６】
そして、ピボットベース面１０３ａとマグネット保持面１０３ｂとの相対的な高さの狂いにより、ＶＣＭコイル１０２ａとＶＣＭマグネット１０２ｂとのギャップ精度がバラつくと、スイングアーム１０４の駆動特性が悪化するという問題があった。
【０００７】
そこで、本発明は、ピボットベース面の高さ、マグネット保持面の高さの相対高さ精度を高く維持し、延いては、ＶＣＭコイルとＶＣＭマグネットのギャップ精度を高く維持することができるディスクドライブ装置を提供することを課題とする。
【課題を解決するための手段】
【０００８】
前記課題を解決するため、本発明の請求項１に係る発明は、シャーシと、前記シャーシに固定され、記録ディスクメディアを回転させるためのメディア駆動用モータと、前記記録ディスクメディアに対してデータの記録及び／または再生を行うヘッドと、前記ヘッドを一端側に保持し、アクチュエータピボットの周りに回動するスイングアームと、前記スイングアームの他端側に設けられるＶＣＭコイルと、前記ＶＣＭコイルと対面するように配置されるＶＣＭマグネットと、を備えるディスクドライブ装置であって、前記シャーシには、前記アクチュエータピボットを保持するピボットベース面および前記ＶＣＭマグネットを保持するマグネット保持面が一体となった介在部材が、前記シャーシ上の前記メディア駆動用モータの基準面を基準に、取り付けられていることを特徴とする。
【０００９】
このようなディスクドライブ装置によれば、ピボットベース面およびマグネット保持面が一体となった介在部材が、メディア駆動用モータの基準面を基準に、シャーシに取り付けられているため、メディア駆動用モータの高さ、ピボットベース面の高さ、マグネット保持面の高さの相対的な高さの精度を高く維持することができる。これにより、ＶＣＭコイルとＶＣＭマグネットのギャップ精度を高く維持することができる。
【００１０】
請求項２に記載の発明は、請求項１に記載のディスクドライブ装置の製造方法であって、前記シャーシ上のメディア駆動用モータの基準面を基準に、前記介在部材を前記ピボットベース面が所定の高さになるように前記シャーシ上に位置決めした後、前記介在部材を前記シャーシに固定することを特徴とする。
【００１１】
このようなディスクドライブ装置の製造方法によれば、介在部材は、メディア駆動用モータの基準面を基準にピボットベース面が所定の高さになるようにシャーシ上に位置決めされた後、シャーシに固定されるため、メディア駆動用モータの基準面とピボットベース面の相対的な高さの精度は高く、また、ピボットベース面とマグネット保持面が一体となっている介在部材であるため、ピボットベース面とマグネット保持面の相対的な高さの精度も高く維持することができる。これにより、ＶＣＭコイルとＶＣＭマグネットのギャップ精度を高く維持することができる。
なお、「所定の高さ」とは、メディア駆動用モータで駆動される記録ディスクメディアの位置に対して、アクチュエータピボットに支持されるスイングアームの高さ位置が合う高さをいう。
【発明の効果】
【００１２】
本発明によれば、ピボットベース面の高さ、マグネット保持面の高さの相対的な高さの精度を高く維持し、延いては、ＶＣＭコイルとＶＣＭマグネットのギャップ精度の維持を図ることができる。これにより、スイングアームの駆動特性を安定化させることができる。
【発明を実施するための最良の形態】
【００１３】
本発明を実施するための最良の形態について図面を参照して詳細に説明する。
参照する図面において、図１は、本実施形態に係るドライブ装置にセットされる記録ディスクカートリッジを示す斜視図であり、（ａ）は前方斜め上方からみた図、（ｂ）は後方斜め下方からみた図である。また、図２は、本実施形態に係るドライブ装置の分解斜視図であり、図３は、本実施形態に係るドライブ装置の平面図である。また、図４は、図３のIV−IV線矢視断面図である。
【００１４】
まず、本実施形態に係るドライブ装置にセットされる記録ディスクカートリッジについて説明する。
記録ディスクカートリッジＣ１は、図１（ａ），（ｂ）に示すように、カートリッジケースＣ１０と、このカートリッジケースＣ１０の内部に回動可能に配置されたロータリシャッタＣ２０と、このロータリシャッタＣ２０の内部に回転自在に配置された記録ディスクメディアＣ３０とを主に備えている。
【００１５】
カートリッジケースＣ１０は、薄型の箱状体であって、ドライブ装置Ｄへの挿入方向の前側に、くさび状に切り欠かれたアクセス用開口部Ｃ１１を有している。このアクセス用開口部Ｃ１１を介して、後記するドライブ装置Ｄのヘッド５（図２，図３参照）が記録ディスクメディアＣ３０にアクセスすることとなる。
また、カートリッジケースＣ１０の下面には、図１（ｂ）に示すように、その左側寄りに円弧状のガイド溝Ｃ１２が形成されている。このガイド溝Ｃ１２は、後記するロータリシャッタＣ２０のシャッタノブＣ２２が軌道に沿うように所定の曲率で形成されている。
【００１６】
ロータリシャッタＣ２０は、その外形が略円盤形状を有する中空構造体であって、カートリッジケースＣ１０のアクセス用開口部Ｃ１１と略同形状の切欠部Ｃ２１を有している。このロータリシャッタＣ２０は、カートリッジケースＣ１０に回動自在に取り付けられている。そして、図１（ｂ）に示すように、ロータリシャッタＣ２０の下面にはシャッタノブＣ２２が突設されている。このシャッタノブＣ２２は、カートリッジケースＣ１０のガイド溝Ｃ１２を介して、下方に突き出ている。
【００１７】
また、記録ディスクメディアＣ３０の中央にはハブＣ３１が固着され、カートリッジケースＣ１０の下方に露出している。
【００１８】
このような記録ディスクカートリッジＣ１がドライブ装置Ｄ（図２，３参照）に挿入されると、シャッタノブＣ２２がガイド溝Ｃ１２内を前側に向かって円弧状の軌道を描きながら移動する。そして、この移動に伴って、ロータリシャッタＣ２０が回動することで、カートリッジケースＣ１０のアクセス用開口部Ｃ１１とロータリシャッタＣ２０の切欠部Ｃ２１が重なり合う。これにより、記録ディスクメディアＣ３０が外部に臨み、ドライブ装置Ｄのヘッド５（図２，３参照）によるデータの記録及び／または再生が可能になる。
【００１９】
次に、本実施形態に係るドライブ装置Ｄについて説明する。
図２に示すように、本実施形態に係るドライブ装置Ｄ（記録ディスクドライブ装置）は、ケーシング１と、記録ディスクメディアＣ３０（図１参照）を回転させるためのスピンドルモータ２（メディア駆動用モータ）と、ケーシング１内に取り付けられる介在部材３と、ケーシング１内に取り付けられるヨーク４と、記録ディスクメディアＣ３０（図１参照）に対してデータの記録及び／または再生を行うヘッド５と、このヘッド５を先端部に保持するスイングアーム６と、このスイングアーム６の回動中心となるピボット軸受７と、スイングアーム６の他端側に設けられるＶＣＭコイル８と、このＶＣＭコイル８と対面するように上下に配置される一対のＶＣＭマグネット９，９と、を主に備えている。なお、本実施形態におけるピボット軸受７は、［特許請求の範囲］の「アクチュエータピボット」に相当する。
【００２０】
ケーシング１は、上方が開口した矩形状の箱に取り付けられるシャーシ１１と、このシャーシ１１の開口部を塞ぐカバー１２とから構成される。シャーシ１１は、非磁性体からなり、スピンドルモータ２が取り付けられる際の基準となるスピンドルモータ基準面１１ａと、介在部材３が取り付けられるための孔部１１ｂと、が形成されている。カバー１２は、シャーシ１１の上側に取り付けられ、シャーシ１１とカバー１２との間には、各部品が収容される収容空間が形成されている。
【００２１】
スピンドルモータ２は、シャーシ１１のスピンドルモータ基準面１１ａを基準に位置決めされ、シャーシ１１上に固定される。スピンドルモータ２は、ドライブ装置Ｄにセットされた記録ディスクカートリッジＣ１のハブＣ３１（図１（ｂ）参照）をチャックし、その回転軸周りに記録ディスクメディアＣ３０を回転させる。
【００２２】
介在部材３は、円形に窪んだピボットベース面３１と、このピボットベース面３１を基準に高さ出しされたマグネット保持面３２とが一体になった部材であり、磁性体からなる部材をプレス加工することで成形される。ピボットベース面３１は、ピボット軸受７のベースとなる面である。このピボットベース面３１の中央には、ピボット軸受７を止めネジＶ（図４参照）で留めつけるためのネジ穴３１ａが形成されている。介在部材３はシャーシ１１の孔部１１ｂに嵌入され、スピンドルモータ基準面１１ａの高さ位置に対してピボットベース面３１の高さ位置を合わされた状態で、その端部３ａ（図４参照）を、複数の箇所で孔部１１ｂの内周面側と溶接して固定される。また、マグネット保持面３２は、ＶＣＭマグネット９が固着される面である。マグネット保持面３２は、ピボットベース面３１に対する相対的な高さの精度が要求されるが、ピボットベース面３１とマグネット保持面３２とが一体で成形されていることから、その精度は高く維持されている。
【００２３】
ヨーク４は、磁性部材から成形され、固定部４１と、この固定部４１から屈曲して立ち上がる脚部４２と、この脚部４２から固定部４１とは反対向きに屈曲して形成されるマグネット保持面４３とを有している。固定部４１は介在部材３に取り付けられる。また、固定部４１が介在部材３に取り付けられると、マグネット保持面４３と介在部材３とは対面するとともに、脚部４２の高さにより、介在部材３とヨーク４の間に若干の空隙が形成される。マグネット保持面４３には、下面側にＶＣＭマグネット９が固着される。
【００２４】
ヘッド５は、記録ディスクメディアＣ３０に対してデータを記録及び／または再生するためのヘッドであり、スイングアーム６のサスペンションアーム６１の先端部に保持される。
【００２５】
スイングアーム６は、一対のサスペンションアーム６１，６１と、このサスペンションアーム６１，６１を後端側で支持するコイルホルダ６２とから構成される。スイングアーム６は、その中央付近で、ピボット軸受７に回動自在に支持されている。一対のサスペンションアーム６１，６１は、平行に設けられ、それぞれ対向する面にヘッド５を有する。これにより、ドライブ装置Ｄにセットされる記録ディスクカートリッジＣ１の記録ディスクメディアＣ３０の表裏両面に対して、データの記録及び／または再生を行うことができる。また、コイルホルダ６２には、ＶＣＭコイル８が設けられる。
【００２６】
ピボット軸受７（アクチュエータピボット）は、スイングアーム６の回動軸となる部材である。このピボット軸受７の下部はピボットベアリング７１の一部で位置決めされるようになっている。
【００２７】
ＶＣＭコイル８は、スイングアーム６の後端側であるコイルホルダ６２に設けられる。このＶＣＭコイル８の上下に対面するように、一対のＶＣＭマグネット９，９が配置されている。
【００２８】
一対のＶＣＭマグネット９，９のうち、下側のＶＣＭマグネット９Ａは、前記したように、介在部材３のマグネット保持面３２に固着され、上側のＶＣＭマグネット９Ｂは、ヨーク４のマグネット保持面４３に固着される。このように、介在部材３に固着されたＶＣＭマグネット９Ａと、ヨーク４に固着されたＶＣＭマグネット９Ｂと、ＶＣＭコイル８とから、ボイスコイルモータ（ＶＣＭ：Voice Coil Motor）が構成される。つまり、ＶＣＭコイル８が通電されることで生じる電場と、ＶＣＭマグネット９Ａ，９Ｂの磁場との相互作用による電磁気力によって、図３に示すように、スイングアーム６がピボット軸受７周りに回動し、ヘッド５を記録ディスクメディアＣ３０上に移動させることができる。なお、スイングアーム６は、通常、記録ディスクカートリッジＣ１がセットされていない状態では、ヘッド５をシャーシ１１上のランプ部Ｌに待機させるようになっている。
【００２９】
このようなドライブ装置Ｄにおいては、まず、介在部材３を、シャーシ１１上のスピンドルモータ基準面１１ａを基準に、ピボットベース面３１が所定の高さになるように位置決めした後、シャーシ１１に固定する。これにより、スピンドルモータ基準面１１ａとピボットベース面３１の相対的な高さの精度は高くなる。なお、「所定の高さ」とは、装填された記録ディスクカートリッジＣ１の記録ディスクメディアＣ３０の位置に対して、スイングアーム６の高さ位置が合う高さである。
【００３０】
次に、ドライブ装置Ｄの動作について説明する。
ドライブ装置Ｄに記録ディスクカートリッジＣ１が挿入されると、記録ディスクカートリッジＣ１のロータリシャッタＣ２０が開き、記録ディスクメディアＣ３０がドライブ装置Ｄ内で外部に臨む。そして、ドライブ装置Ｄでは、図示しない駆動回路への駆動信号により、スピンドルモータ２が駆動され、それにつれて、記録ディスクメディアＣ３０が回転させられる。また、ドライブ装置ＤのＶＣＭコイル８が通電されることで、介在部材３とヨーク４の間において、スイングアーム６がピボット軸受７を中心に回動し、ヘッド５がランプ部Ｌから記録ディスクメディアＣ３０の表面に移動する。これにより、ヘッド５による記録ディスクメディアＣ３０に対するデータの記録及び／または再生が可能になる。
【００３１】
以上によれば、本実施形態に係るドライブ装置Ｄにおいて、以下の効果を得ることができる。
このようなドライブ装置Ｄによれば、ピボットベース面３１およびマグネット保持面３２が一体となった介在部材３が、シャーシ１１に取り付けられているため、ピボットベース面３１の高さ、マグネット保持面３２の高さの相対的な高さの精度を高く維持することができる。つまり、スイングアーム６が保持されるピボットベース面３１の位置とマグネット保持面３２の相対的な高さの精度が高いことから、図４に示すように、ＶＣＭコイル８とＶＣＭマグネット９のギャップ精度を高く維持することができる。
【００３２】
特に、介在部材３をシャーシ１１に取り付ける際、介在部材３は、スピンドルモータ基準面１１ａ（図２参照）を基準に、つまり、セットされる記録ディスクカートリッジＣ１（図１参照）の高さに合わせて、ピボットベース面３１が所定の高さになるようにシャーシ１１上に位置決めされた後、シャーシ１１に固定される。このため、スピンドルモータ基準面１１ａとピボットベース面３１の相対的な高さの精度は高く、また、ピボットベース面３１とマグネット保持面３２が一体となっている介在部材３であるため、ピボットベース面３１とマグネット保持面３２の相対的な高さの精度も高く維持することができる。これにより、ＶＣＭコイル８とＶＣＭマグネット９のギャップ精度をより高いレベルで維持することができる。
以上により、スイングアーム６の駆動特性を安定化させることができる。
【００３３】
以上、本発明の実施形態について説明したが、本発明は前記実施形態に限定されず、種々の形態で実施することができる。
例えば、本実施形態では着脱自在な記録ディスクカートリッジ用のドライブ装置Ｄとして構成したが、ハードディスクのドライブ装置として構成するものであってもよい。
【図面の簡単な説明】
【００３４】
【図１】本実施形態に係るドライブ装置にセットされる記録ディスクカートリッジを示す斜視図であり、（ａ）は前方斜め上方からみた図、（ｂ）は後方斜め下方からみた図である。
【図２】本実施形態に係るドライブ装置の分解斜視図である。
【図３】本実施形態に係るドライブ装置の平面図である。
【図４】図３のIV−IV線矢視断面図である。
【図５】従来のディスクドライブ装置を示す図であり、（ａ）は分解斜視図、（ｂ）は断面側面図である。
【符号の説明】
【００３５】
１      ケーシング
２      スピンドルモータ
３      介在部材
４      ヨーク
５      ヘッド
６      スイングアーム
７      ピボット軸受
８      ＶＣＭコイル
９，９Ａ，９Ｂ  ＶＣＭマグネット
１１    シャーシ
１１ａ  スピンドルモータ基準面
１２    カバー
３１    ピボットベース面
３２    マグネット保持面
Ｃ１    記録ディスクカートリッジ
Ｄ      ドライブ装置
【図１】
2007179599.tif 000003
【図２】
2007179599.tif 000004
【図３】
2007179599.tif 000005
【図４】
2007179599.tif 000006
【図５】
2007179599.tif 000007